(57)【特許請求の範囲】
【請求項１】
情報記録面を有する光ディスクであって、
前記情報記録面は、半径方向に対してグルーブトラックとランドトラックとが交互に配置されて形成された記録トラックを有し、
前記記録トラックは、
第１のランドトラックとこの第１のランドトラックに隣接する第１のグルーブトラックとの境界壁の一部に配置された第１の凹凸状境界壁と、
前記第１のグルーブトラックとこの第１のグルーブトラックに隣接する第２のランドトラックとの境界壁の一部に配置された第２の凹凸状境界壁と、
前記第２のランドトラックとこの第２のランドトラックに隣接する第２のグルーブトラックとの境界壁の一部に配置された第３の凹凸状境界壁と、
前記第２のグルーブトラックとこの第２のグルーブトラックに隣接する第３のランドトラックとの境界壁の一部に配置された第４の凹凸状境界壁と、
を有し、
前記第１、第２、第３、及び第４の凹凸状境界壁は、アドレスデータを含むヘッダデータが反映された凹凸により形成されており、
前記第１、第２、第３、及び第４の凹凸状境界壁は、トラックに沿った方向に対して一つの凹凸状境界壁の長さずつ順にずれた位置に配置されており、
前記第１のグルーブトラックに対して、前記第１の凹凸状境界壁は後半ヘッダとして定義され、前記第２の凹凸状境界壁は前半ヘッダとして定義され、
前記第２のランドトラックに対して、前記第２の凹凸状境界壁は後半ヘッダとして定義され、前記第３の凹凸状境界壁は前半ヘッダとして定義され、
前記第２のグルーブトラックに対して、前記第３の凹凸状境界壁は後半ヘッダとして定義され、前記第４の凹凸状境界壁は前半ヘッダとして定義され、
前記第１及び第２のグルーブトラックに対して定義された後半ヘッダの内周側はグルーブトラックであり、外周側はランドトラックとなり、
前記第３のランドトラックに対して定義された後半ヘッダの内周側はランドトラックであり、外周側はグルーブトラックとなり、
前記第１及び第２の凹凸状境界壁並びに前記第１のグルーブトラックの記録フィールドにより一つのセクタが形成され、このセクタに含まれる記録フィールトに対するヘッダデータは後半ヘッダとして定義される前記第１の凹凸状境界壁に含まれており、
前記第２及び第３の凹凸状境界壁並びに前記第２のランドトラックの記録フィールドにより一つのセクタが形成され、このセクタに含まれる記録フィールドに対するヘッダデータは後半ヘッダとして定義される前記第２の凹凸状境界壁に含まれており、
前記第３及び第４の凹凸状境界壁並びに前記第２のグルーブトラックの記録フィールドにより一つのセクタが形成され、このセクタに含まれる記録フィールドに対するヘッダデータは後半ヘッダとして定義される前記第３の凹凸状境界壁に含まれている、
ことを特徴とする光ディスク。
【請求項２】
前記第１、第２、第３、及び第４の凹凸状境界壁の凹部又は凸部のどちらか一方の位置によりヘッダデータを反映する、
ことを特徴とする請求項１に記載の光ディスク。
【請求項３】
前記第１、第２、第３、及び第４の凹凸状境界壁の凹部及び凸部の変化位置によりヘッダデータを反映する、
ことを特徴とする請求項１に記載の光ディスク。
【請求項４】
前記情報記録面を複数有することを特徴とする請求項１に記載の光ディスク。
【請求項５】
光ディスクから情報を再生する光ディスク再生装置であって、
前記光ディスクは、情報記録面を有し、
前記情報記録面は、半径方向に対してグルーブトラックとランドトラックとが交互に配置されて形成された記録トラックを有し、
前記記録トラックは、
第１のランドトラックとこの第１のランドトラックに隣接する第１のグルーブトラックとの境界壁の一部に配置された第１の凹凸状境界壁と、
前記第１のグルーブトラックとこの第１のグルーブトラックに隣接する第２のランドトラックとの境界壁の一部に配置された第２の凹凸状境界壁と、
前記第２のランドトラックとこの第２のランドトラックに隣接する第２のグルーブトラックとの境界壁の一部に配置された第３の凹凸状境界壁と、
前記第２のグルーブトラックとこの第２のグルーブトラックに隣接する第３のランドトラックとの境界壁の一部に配置された第４の凹凸状境界壁と、
を有し、
前記第１、第２、第３、及び第４の凹凸状境界壁は、アドレスデータを含むヘッダデータが反映された凹凸により形成されており、
前記第１、第２、第３、及び第４の凹凸状境界壁は、トラックに沿った方向に対して一つの凹凸状境界壁の長さずつ順にずれた位置に配置されており、
前記第１のグルーブトラックに対して、前記第１の凹凸状境界壁は後半ヘッダとして定義され、前記第２の凹凸状境界壁は前半ヘッダとして定義され、
前記第２のランドトラックに対して、前記第２の凹凸状境界壁は後半ヘッダとして定義され、前記第３の凹凸状境界壁は前半ヘッダとして定義され、
前記第２のグルーブトラックに対して、前記第３の凹凸状境界壁は後半ヘッダとして定義され、前記第４の凹凸状境界壁は前半ヘッダとして定義され、
前記第１及び第２のグルーブトラックに対して定義された後半ヘッダの内周側はグルーブトラックであり、外周側はランドトラックとなり、
前記第３のランドトラックに対して定義された後半ヘッダの内周側はランドトラックであり、外周側はグルーブトラックとなり、
前記第１及び第２の凹凸状境界壁並びに前記第１のグルーブトラックの記録フィールドにより一つのセクタが形成され、このセクタに含まれる記録フィールドに対するヘッダデータは後半ヘッダとして定義される前記第１の凹凸状境界壁に含まれており、
前記第２及び第３の凹凸状境界壁並びに前記第２のランドトラックの記録フィールドにより一つのセクタが形成され、このセクタに含まれる記録フィールドに対するヘッダデータは後半ヘッダとして定義される前記第２の凹凸状境界壁に含まれており、
前記第３及び第４の凹凸状境界壁並びに前記第２のグルーブトラックの記録フィールドにより一つのセクタが形成され、このセクタに含まれる記録フィールドに対するヘッダデータは後半ヘッダとして定義される前記第３の凹凸状境界壁に含まれており、
この光ディスク再生装置は、
前記第１のグルーブトラックの後半ヘッダとして定義される前記第１の凹凸状境界壁から、前記第１及び第２の凹凸状境界壁並びに前記第１のグルーブトラックの記録フィールドにより形成されるセクタに対するヘッダデータを再生し、前記第２のランドトラックの後半ヘッダとして定義される前記第２の凹凸状境界壁から、前記第２及び第３の凹凸状境界壁並びに前記第２のランドトラックの記録フィールドにより形成されるセクタに対するヘッダデータを再生し、前記第２のグルーブトラックの後半ヘッダとして定義される前記第３の凹凸状境界壁から、前記第３及び第４の凹凸状境界壁並びに前記第２のグルーブトラックの記録フィールドにより形成されるセクタに対するヘッダデータを再生する再生手段を備えたことを特徴とする。
【請求項６】
所定のトラックの両側の境界壁の一部に位置し、トラックに沿った方向に対して所定距離だけずれた二つの凹凸状境界壁に反映されたヘッダデータの再生信号レベルを比較して、この所定のトラックに対する再生光ビームのトラックずれを検知するトラックずれ検知手段を備えたことを特徴とする請求項５に記載の光ディスク再生装置。
【請求項７】
光ディスクから情報を再生する光ディスク再生方法であって、
前記光ディスクは、情報記録面を有し、
前記情報記録面は、半径方向に対してグルーブトラックとランドトラックとが交互に配置されて形成された記録トラックを有し、
前記記録トラックは、
第１のランドトラックとこの第１のランドトラックに隣接する第１のグルーブトラックとの境界壁の一部に配置された第１の凹凸状境界壁と、
前記第１のグルーブトラックとこの第１のグルーブトラックに隣接する第２のランドトラックとの境界壁の一部に配置された第２の凹凸状境界壁と、
前記第２のランドトラックとこの第２のランドトラックに隣接する第２のグルーブトラックとの境界壁の一部に配置された第３の凹凸状境界壁と、
前記第２のグルーブトラックとこの第２のグルーブトラックに隣接する第３のランドトラックとの境界壁の一部に配置された第４の凹凸状境界壁と、
を有し、
前記第１、第２、第３、及び第４の凹凸状境界壁は、アドレスデータを含むヘッダデータが反映された凹凸により形成されており、
前記第１、第２、第３、及び第４の凹凸状境界壁は、トラックに沿った方向に対して一つの凹凸状境界壁の長さずつ順にずれた位置に配置されており、
前記第１のグルーブトラックに対して、前記第１の凹凸状境界壁は後半ヘッダとして定義され、前記第２の凹凸状境界壁は前半ヘッダとして定義され、
前記第２のランドトラックに対して、前記第２の凹凸状境界壁は後半ヘッダとして定義され、前記第３の凹凸状境界壁は前半ヘッダとして定義され、
前記第２のグルーブトラックに対して、前記第３の凹凸状境界壁は後半ヘッダとして定義され、前記第４の凹凸状境界壁は前半ヘッダとして定義され、
前記第１及び第２のグルーブトラックに対して定義された後半ヘッダの内周側はグルーブトラックであり、外周側はランドトラックとなり、
前記第３のランドトラックに対して定義された後半ヘッダの内周側はランドトラックであり、外周側はグルーブトラックとなり、
前記第１及び第２の凹凸状境界壁並びに前記第１のグルーブトラックの記録フィールドにより一つのセクタが形成され、このセクタに含まれる記録フィールドに対するヘッダデータは後半ヘッダとして定義される前記第１の凹凸状境界壁に含まれており、
前記第２及び第３の凹凸状境界壁並びに前記第２のランドトラックの記録フィールドにより一つのセクタが形成され、このセクタに含まれる記録フィールドに対するヘッダデータは後半ヘッダとして定義される前記第２の凹凸状境界壁に含まれており、
前記第３及び第４の凹凸状境界壁並びに前記第２のグルーブトラックの記録フィールドにより一つのセクタが形成され、このセクタに含まれる記録フィールドに対するヘッダデータは後半ヘッダとして定義される前記第３の凹凸状境界壁に含まれており、
この光ディスク再生方法は、
前記第１のグルーブトラックの後半ヘッダとして定義される前記第１の凹凸状境界壁から、前記第１及び第２の凹凸状境界壁並びに前記第１のグルーブトラックの記録フィールドにより形成されるセクタに対するヘッダデータを再生し、前記第２のランドトラックの後半ヘッダとして定義される前記第２の凹凸状境界壁から、前記第２及び第３の凹凸状境界壁並びに前記第２のランドトラックの記録フィールドにより形成されるセクタに対するヘッダデータを再生し、前記第２のグルーブトラックの後半ヘッダとして定義される前記第３の凹凸状境界壁から、前記第３及び第４の凹凸状境界壁並びに前記第２のグルーブトラックの記録フィールドにより形成されるセクタに対するヘッダデータを再生することを特徴とする。
【請求項８】
所定のトラックの両側の境界壁の一部に位置し、トラックに沿った方向に対して所定距離だけずれた二つの凹凸状境界壁に反映されたヘッダデータの再生信号レベルを比較して、この所定のトラックに対する再生光ビームのトラックずれを検知することを特徴とする請求項７に記載の光ディスク再生方法。
【請求項９】
光ディスクに対して情報を記録する光ディスク記録装置であって、
前記光ディスクは、情報記録面を有し、
前記情報記録面は、半径方向に対してグルーブトラックとランドトラックとが交互に配置されて形成された記録トラックを有し、
前記記録トラックは、
第１のランドトラックとこの第１のランドトラックに隣接する第１のグルーブトラックとの境界壁の一部に配置された第１の凹凸状境界壁と、
前記第１のグルーブトラックとこの第１のグルーブトラックに隣接する第２のランドトラックとの境界壁の一部に配置された第２の凹凸状境界壁と、
前記第２のランドトラックとこの第２のランドトラックに隣接する第２のグルーブトラックとの境界壁の一部に配置された第３の凹凸状境界壁と、
前記第２のグルーブトラックとこの第２のグルーブトラックに隣接する第３のランドトラックとの境界壁の一部に配置された第４の凹凸状境界壁と、
を有し、
前記第１、第２、第３、及び第４の凹凸状境界壁は、アドレスデータを含むヘッダデータが反映された凹凸により形成されており、
前記第１、第２、第３、及び第４の凹凸状境界壁は、トラックに沿った方向に対して一つの凹凸状境界壁の長さずつ順にずれた位置に配置されており、
前記第１のグルーブトラックに対して、前記第１の凹凸状境界壁は後半ヘッダとして定義され、前記第２の凹凸状境界壁は前半ヘッダとして定義され、
前記第２のランドトラックに対して、前記第２の凹凸状境界壁は後半ヘッダとして定義され、前記第３の凹凸状境界壁は前半ヘッダとして定義され、
前記第２のグルーブトラックに対して、前記第３の凹凸状境界壁は後半ヘッダとして定義され、前記第４の凹凸状境界壁は前半ヘッダとして定義され、
前記第１及び第２のグルーブトラックに対して定義された後半ヘッダの内周側はグルーブトラックであり、外周側はランドトラックとなり、
前記第３のランドトラックに対して定義された後半ヘッダの内周側はランドトラックであり、外周側はグルーブトラックとなり、
前記第１及び第２の凹凸状境界壁並びに前記第１のグルーブトラックの記録フィールドにより一つのセクタが形成され、このセクタに含まれる記録フィールドに対するヘッダデータは後半ヘッダとして定義される前記第１の凹凸状境界壁に含まれており、
前記第２及び第３の凹凸状境界壁並びに前記第２のランドトラックの記録フィールドにより一つのセクタが形成され、このセクタに含まれる記録フィールドに対するヘッダデータは後半ヘッダとして定義される前記第２の凹凸状境界壁に含まれており、
前記第３及び第４の凹凸状境界壁並びに前記第２のグルーブトラックの記録フィールドにより一つのセクタが形成され、このセクタに含まれる記録フィールドに対するヘッダデータは後半ヘッダとして定義される前記第３の凹凸状境界壁に含まれており、
この光ディスク記録装置は、
前記第１のグルーブトラックの後半ヘッダとして定義される前記第１の凹凸状境界壁から、前記第１及び第２の凹凸状境界壁並びに前記第１のグルーブトラックの記録フィールドにより形成されるセクタに対するヘッダデータを再生し、前記第２のランドトラックの後半ヘッダとして定義される前記第２の凹凸状境界壁から、前記第２及び第３の凹凸状境界壁並びに前記第２のランドトラックの記録フィールドにより形成されるセクタに対するヘッダデータを再生し、前記第２のグルーブトラックの後半ヘッダとして定義される前記第３の凹凸状境界壁から、前記第３及び第４の凹凸状境界壁並びに前記第２のグルーブトラックの記録フィールドにより形成されるセクタに対するヘッダデータを再生する再生手段と、
前記再生手段により再生されたヘッダデータに基づき、目的の記録フィールドに目的の情報を記録する記録手段と、
を備えたことを特徴とする。
【請求項１０】
所定のトラックの両側の境界壁の一部に位置し、トラックに沿った方向に対して所定距離だけずれた二つの凹凸状境界壁に反映されたヘッダデータの再生信号レベルを比較して、この所定のトラックに対する再生光ビームのトラックずれを検知するトラックずれ検知手段を備えたことを特徴とする請求項９に記載の光ディスク記録装置。
【請求項１１】
光ディスクに対して情報を記録する光ディスク記録方法であって、
前記光ディスクは、情報記録面を有し、
前記情報記録面は、半径方向に対してグルーブトラックとランドトラックとが交互に配置されて形成された記録トラックを有し、
前記記録トラックは、
第１のランドトラックとこの第１のランドトラックに隣接する第１のグルーブトラックとの境界壁の一部に配置された第１の凹凸状境界壁と、
前記第１のグルーブトラックとこの第１のグルーブトラックに隣接する第２のランドトラックとの境界壁の一部に配置された第２の凹凸状境界壁と、
前記第２のランドトラックとこの第２のランドトラックに隣接する第２のグルーブトラックとの境界壁の一部に配置された第３の凹凸状境界壁と、
前記第２のグルーブトラックとこの第２のグルーブトラックに隣接する第３のランドトラックとの境界壁の一部に配置された第４の凹凸状境界壁と、
を有し、
前記第１、第２、第３、及び第４の凹凸状境界壁は、アドレスデータを含むヘッダデータが反映された凹凸により形成されており、
前記第１、第２、第３、及び第４の凹凸状境界壁は、トラックに沿った方向に対して一つの凹凸状境界壁の長さずつ順にずれた位置に配置されており、
前記第１のグルーブトラックに対して、前記第１の凹凸状境界壁は後半ヘッダとして定義され、前記第２の凹凸状境界壁は前半ヘッダとして定義され、
前記第２のランドトラックに対して、前記第２の凹凸状境界壁は後半ヘッダとして定義され、前記第３の凹凸状境界壁は前半ヘッダとして定義され、
前記第２のグルーブトラックに対して、前記第３の凹凸状境界壁は後半ヘッダとして定義され、前記第４の凹凸状境界壁は前半ヘッダとして定義され、
前記第１及び第２のグルーブトラックに対して定義された後半ヘッダの内周側はグルーブトラックであり、外周側はランドトラックとなり、
前記第３のランドトラックに対して定義された後半ヘッダの内周側はランドトラックであり、外周側はグルーブトラックとなり、
前記第１及び第２の凹凸状境界壁並びに前記第１のグルーブトラックの記録フィールドにより一つのセクタが形成され、このセクタに含まれる記録フィールドに対するヘッダデータは後半ヘッダとして定義される前記第１の凹凸状境界壁に含まれており、
前記第２及び第３の凹凸状境界壁並びに前記第２のランドトラックの記録フィールドにより一つのセクタが形成され、このセクタに含まれる記録フィールドに対するヘッダデータは後半ヘッダとして定義される前記第２の凹凸状境界壁に含まれており、
前記第３及び第４の凹凸状境界壁並びに前記第２のグルーブトラックの記録フィールドにより一つのセクタが形成され、このセクタに含まれる記録フィールドに対するヘッダデータは後半ヘッダとして定義される前記第３の凹凸状境界壁に含まれており、
この光ディスク記録方法は、
前記第１のグルーブトラックの後半ヘッダとして定義される前記第１の凹凸状境界壁から、前記第１及び第２の凹凸状境界壁並びに前記第１のグルーブトラックの記録フィールドにより形成されるセクタに対するヘッダデータを再生し、前記第２のランドトラックの後半ヘッダとして定義される前記第２の凹凸状境界壁から、前記第２及び第３の凹凸状境界壁並びに前記第２のランドトラックの記録フィールドにより形成されるセクタに対するヘッダデータを再生し、前記第２のグルーブトラックの後半ヘッダとして定義される前記第３の凹凸状境界壁から、前記第３及び第４の凹凸状境界壁並びに前記第２のグルーブトラックの記録フィールドにより形成されるセクタに対するヘッダデータを再生し、
前記再生されたヘッダデータに基づき、目的の記録フィールドに目的の情報を記録する、
ことを特徴とする。
【請求項１２】
所定のトラックの両側の境界壁の一部に位置し、トラックに沿った方向に対して所定距離だけずれた二つの凹凸状境界壁に反映されたヘッダデータの再生信号レベルを比較して、この所定のトラックに対する再生光ビームのトラックずれを検知することを特徴とする請求項１１に記載の光ディスク記録方法。
【発明の詳細な説明】
【０００１】
【発明の属する技術分野】
この発明は、半径方向に対してグルーブトラックとランドトラックとが交互に配置されて形成された記録トラックを有する光ディスクに関する。また、この発明は、このような光ディスクから情報を再生する光ディスク再生装置及び光ディスク再生方法に関する。さらに、この発明は、このような光ディスクに対して情報を記録する光ディスク記録装置及び光ディスク記録方法に関する。
【０００２】
【従来の技術】
相変化記録方式を利用した書換え型の光ディスクの一例として、ＤＶＤ−ＲＡＭが知られている。この光ディスクは、螺旋状に設けられた一定周期で不連続な案内溝を備えており、溝内（グルーブトラック）と溝間（ランドトラック）の両方が記録トラックとして使用される。案内溝の不連続部分は、半径方向にアラインされており、この不連続部分にはヘッダデータがプリピットにより記録されている。このヘッダデータの先頭からトラック方向に向かって次のヘッダデータの先頭までが１セクタと呼ばれる。光ディスクに対する情報の記録及び再生は、セクタ単位で実行される。光ディスクに対するデータの記録再生時には、このヘッダデータに含まれているアドレスデータが読み取られ、後続のトラックに対して相変化記録マークにより情報が記録されたり、既に後続のセクタに記録されている相変化記録マークが再生されたりする。
【０００３】
ＤＶＤ−ＲＡＭにおいては、ヘッダデータは、互いに隣接するグルーブトラックとランドトラックの境界の延長線上の案内溝の不連続部分に記録されており、このヘッダデータはこれら両トラックに対する記録再生処理に利用される。ヘッダデータ（プリピット）を再生したときに生じるクロストークの影響は、相変化記録マークを再生したときに生じるクロストークの影響より大きい。このため、ヘッダデータは半径方向に対して１トラックピッチ毎にジグザグ記録されており、結果的に半径方向に対するヘッダデータ記録ピッチは１トラックピッチより広くなっている。記録トラックに対して光ビームを走査させると、案内溝の不連続部分ではトラックの一方の境界延長線上に配置されたヘッダデータと、トラックの他方の境界延長線上に配置されたヘッダデータとが順に再生される。このとき、二つのヘッダデータの再生信号のレベルを比較することにより、トラック走査の偏りを検出することが可能となる。続いて、案内溝の連続部分から溝の影響を受けたトラッキングエラー信号が得られる。このトラッキングエラー信号からトラック外れを検出することが可能となる。
【０００４】
【発明が解決しようとする課題】
しかし、上記したように、ヘッダデータ記録部分では案内溝が不連続になっているため、このヘッダデータ記録部分ではトラッキングエラー信号を得ることができないという問題があった。複数セクタを連続再生しているときには、ヘッダデータの記録位置がある程度予測できる。このため、ヘッダデータ記録部分を走査するときには、直前に得られたトラッキングエラー信号のレベルを維持したままトラックサーボを中断することにより、走査動作を適切に続行させることができる。しかし、トラックサーチ時には、ヘッダデータの記録位置を予測することができない。このため、偶然、ヘッダデータ記録部分にトラックサーチが試みられた場合には、トラック外れとトラックサーチの再試行とが繰り返されてしまい、結果的に目的セクタへのアクセスに多大な時間が費やされてしまう。
【０００５】
このような問題を解決するための技術が、特願２０００−３０３８５５に開示されている。簡単に説明すると、隣接するグルーブトラックとランドトラックの一方の境界の壁面位置を変動させてヘッダデータを記録する。これにより、案内溝をすべて連続させることができる。従って、ヘッダデータ記録部分にトラックサーチが試みられても、案内溝の影響を受けたトラッキングエラー信号を得ることができる。しかしながら、トラックの両端の境界の壁面位置が変動されるわけではなく、トラックの一方の境界の壁面位置だけが変動される。このため、ヘッダ記録位置の再生信号から、トラック走査の偏りを検出することはできない。
【０００６】
また、近年では、書換え型の情報記録層が複数積層された光ディスクについての開発が進められている。このような光ディスクでは、各記録層に対して独立に情報を記録したり再生したりすることができる。各記録層が、上記説明したＤＶＤ−ＲＡＭのようなヘッダデータを有していると、このヘッダデータが記録されているトラックの不連続部分が他層の記録再生に影響を及ぼす。ヘッダデータは、上記したように、半径方向に対して１トラックピッチ毎にジグザグ記録されているが、トラックの不連続部分は半径方向に対して略一直線に並んでいる（トラックの不連続部分は纏まって配置されている）。各記録層におけるトラックの連続部分と不連続部分とが、常に、光ビームの光軸方向に対して一致しているとは限らない。つまり、ある記録層のトラックに対して光ビームを照射しデータを記録したり再生したりするときに、別の記録層のトラックの連続部分の光透過率又は光反射率の影響を受けるときもあれば、別の記録層のトラックの不連続部分の光透過率又は光反射率の影響を受けるときもある。これにより、データの記録再生時の信頼性に問題が生じる。
【０００７】
この発明の目的は、上記したような事情に鑑み成されたものであって、下記の光ディスク、光ディスク再生装置、光ディスク再生方法、光ディスク記録装置、及び光ディスク記録方法を提供することにある。
【０００８】
（１）ヘッダデータ記録位置からトラッキングエラー信号を得ることが可能なように構成されており、且つトラック走査の偏りが検出可能なように構成された光ディスク。
【０００９】
（２）記録再生信頼性の損失を低減することが可能な複数の記録層を有する光ディスク。
【００１０】
（３）ヘッダデータ記録位置からトラッキングエラー信号を得ることが可能なように構成されており、且つトラック走査の偏りが検出可能なように構成された光ディスクから、ヘッダデータを再生する光ディスク再生装置及び光ディスク再生方法。
【００１１】
（４）ヘッダデータ記録位置からトラッキングエラー信号を得ることが可能なように構成されており、且つトラック走査の偏りが検出可能なように構成された光ディスクから、ヘッダデータを再生し、目的位置にデータを記録する光ディスク記録装置及び光ディスク記録方法。
【００１２】
【課題を解決するための手段】
上記課題を解決し目的を達成するために、この発明の光ディスク、光ディスク再生装置、光ディスク再生方法、光ディスク記録装置、及び光ディスク記録方法は、以下のように構成されている。
【００１３】
（１）この発明の光ディスクは、情報記録面を有する光ディスクであって、前記情報記録面は、半径方向に対してグルーブトラックとランドトラックとが交互に配置されて形成された記録トラックを有し、前記記録トラックは、各トラックの境界壁の一部に、夫々がトラックに沿った方向に対して所定距離ずつ順にずれた位置に配置された複数の凹凸境界壁を有し、各凹凸状境界壁は、アドレスデータを含むヘッダデータが反映された凹凸により形成されている。
【００１４】
（２）この発明の光ディスクは、前記情報記録面を複数有する。
【００１５】
（３）この発明の光ディスク再生装置は、前記凹凸状境界壁からヘッダデータを再生する再生手段を備えている。
【００１６】
（４）この発明の光ディスク再生方法は、前記凹凸状境界壁からヘッダデータを再生する。
【００１７】
（５）この発明の光ディスク記録装置は、前記凹凸状境界壁からヘッダデータを再生する再生手段と、再生されたヘッダデータに基づき記録トラックに設けられた目的記録フィールドに目的情報を記録する記録手段とを備えている。
【００１８】
（６）この発明の光ディスク記録方法は、前記凹凸状境界壁からヘッダデータを再生し、再生されたヘッダデータに基づき記録トラックに設けられた目的記録フィールドに目的情報を記録する。
【００１９】
【発明の実施の形態】
以下、この発明の実施の形態について図面を参照して説明する。
【００２０】
図１は、この発明に係る光ディスクのヘッダ領域の概略を示す図である。
【００２１】
この発明の光ディスクは単数又は複数の情報記録面を有し、情報記録面は１周毎にランドトラックとグルーブトラックとが入れ替わるシングルスパイラル構造の記録トラックを有する。つまり、この光ディスクは、半径方向に対してランドトラックとグルーブトラックとが交互に配置されて形成された記録トラックを有する。そして、両トラックに対してデータが記録される。
【００２２】
図１に示すように、ランドトラックＬＴ１とこのランドトラックＬＴ１に隣接するグルーブトラックＧＴ１との境界壁の一部には、凹凸状境界壁Ｗ１が配置されている。また、グルーブトラックＧＴ１とこのグルーブトラックＧＴ１に隣接するランドトラックＬＴ２との境界壁の一部には、凹凸状境界壁Ｗ２が配置されている。また、ランドトラックＬＴ２とこのランドトラックＬＴ２に隣接するグルーブトラックＧＴ２との境界壁の一部には、凹凸状境界壁Ｗ３が配置されている。また、グルーブトラックＧＴ２とこのグルーブトラックＧＴ２に隣接するランドトラックＬＴ３との境界壁の一部には、凹凸状境界壁Ｗ４が配置されている。
【００２３】
凹凸状境界壁Ｗ１〜Ｗ４は、アドレスデータを含むヘッダデータが反映された凹凸により形成されている。凹凸状境界壁Ｗ２は、Ｗ１に対して、トラックに沿った方向に対して一つの凹凸状境界壁の長さ分ずれた位置に配置されている。同様に、凹凸状境界壁Ｗ３は、Ｗ２に対して、トラックに沿った方向に対して一つの凹凸状境界壁の長さ分ずれた位置に配置されている。同様に、凹凸状境界壁Ｗ４は、Ｗ３に対して、トラックに沿った方向に対して一つの凹凸状境界壁の長さ分ずれた位置に配置されている。つまり、凹凸状境界壁Ｗ１〜Ｗ４は、トラックに沿った方向に対して一つの凹凸状境界壁の長さずつ順にずれた位置に配置されている。
【００２４】
グルーブトラックＧＴ１上を光ビームが走査する場合、凹凸状境界壁Ｗ２及びＷ１が一つのヘッダ部１０１となり、凹凸状境界壁Ｗ２が前半ヘッダ部１０３となり、凹凸状境界壁Ｗ１が後半ヘッダ部１０４となる。ランドトラックＬＴ２上を光ビームが走査する場合、凹凸状境界壁Ｗ３及びＷ２が一つのヘッダ部１０１となり、凹凸状境界壁Ｗ３が前半ヘッダ部１０３となり、凹凸状境界壁Ｗ２が後半ヘッダ部１０４となる。グルーブトラックＧＴ２上を光ビームが走査する場合、凹凸状境界壁Ｗ４及びＷ３が一つのヘッダ部１０１となり、凹凸状境界壁Ｗ４が前半ヘッダ部１０３となり、凹凸状境界壁Ｗ３が後半ヘッダ部１０４となる。
【００２５】
凹凸状境界壁Ｗ１を形成する凹凸は、グルーブトラックＧＴ１上に配置される記録フィールド（データ部１０２）に関するヘッダデータを含む。凹凸状境界壁Ｗ２を形成する凹凸は、ランドトラックＬＴ２上に配置される記録フィールド（データ部１０２）に関するヘッダデータを含む。凹凸状境界壁Ｗ３を形成する凹凸は、グルーブトラックＧＷ２上に配置される記録フィールド（データ部１０２）に関するヘッダデータを含む。凹凸状境界壁Ｗ４を形成する凹凸は、ランドトラックＬＴ３上に配置される記録フィールド（データ部１０２）に関するヘッダデータを含む。
【００２６】
ヘッダ部１０１と後続のデータ部１０２とで、一つのセクタが形成されている。つまり、各セクタの先頭にヘッダ部１０２が配置されており、このヘッダ部１０２に後続のデータ部のアドレスデータが格納されている。
【００２７】
グルーブトラックとランドトラックの境界壁面位置を両トラック側に凹凸させて、上記した凹凸状境界壁が形成されている。凹凸状境界壁Ｗ２及びＷ４は内周側がランドトラックで外周側がグルーブトラックとなる境界壁位置を両トラック側に凹凸させて形成されている。これに対して、凹凸状境界壁Ｗ１及びＷ３は外周側がランドトラックで内周側がグルーブトラックとなる境界壁位置を両トラック側に凹凸させて形成されている。
【００２８】
上記した構成により、この発明の光ディスクに形成されたトラックは、ヘッダ部１０１が配置されている箇所でも、連続する。従って、この発明の光ディスクに形成されたトラックに沿って光ビームを走査させると、どの位置からでもトラッキングエラー信号を得ることができ、正確にトラック外れを検出することができる。
【００２９】
上記したトラック構造の光ディスクを製作するには、例えば、光ディスクの原盤露光に２ビームを用いる。２ビームは半径方向に僅かにずれた間隔で並べて、記録トラックであるグルーブトラックの露光時には、所定パワーの２ビームを同時に照射する。ヘッダ部１０１の形成時には、ランド側へ境界壁を張り出させるタイミングで２ビームのうちランド側に位置する方の光ビームの強度を所定パワーより高くし、グルーブ側へ境界壁を張り出させるタイミングで２ビームのうちグルーブ側に位置する方の光ビームの強度を所定パワーより低くする。
【００３０】
このようにして、ランドトラック及びグルーブトラックの境界壁の一部を、両トラック側に凹凸させて凹凸状境界壁が形成される。光ディスク装置は、あるトラックを再生するときに、このあるトラックとこのあるトラックに隣接するトラックとの境界に形成された凹凸状境界壁に対応した再生信号を得ることができる。従来のＤＶＤ−ＲＡＭの場合、グルーブトラックとランドトラックの境界延長線上にプリピットによりヘッダデータが記録されている。このため、同じプリピットを、ランドトラックに沿って再生した場合と、グルーブトラックに沿って再生した場合とで、このプリピットが反映された再生信号の極性は等しくなる。この発明の光ディスクの場合、同じ凹凸状境界壁を、ランドトラックに沿って再生した場合と、グルーブトラックに沿って再生した場合とで、この凹凸状境界壁が反映された再生信号の極性は逆になる。このため、凹凸状境界壁が反映された再生信号を読み取るには、極性切換が必要となる。
【００３１】
図１は、凹凸状境界壁の凹凸のランド側へ張り出した部分の位置により、ヘッダデータが反映されている。これは、ピットで情報を記録する場合のピットポジション記録に相当する。また、内周側の隣接トラックとの境界と外周側の隣接トラックとの境界のどちらもランド側へ張り出した部分の位置により、ヘッダデータが反映されている。このため、再生信号の極性は、どちらのヘッダデータを再生したときも同じになる。このような、ディスクは、上記したように、ディスク原盤露光時のビーム強度の強弱と、記録信号極性との関係を、２ビームで同じにすれば製作できる。
【００３２】
図２は、図１に示す凹凸境界壁に反映されたヘッダデータの再生信号を説明する図である。
【００３３】
再生用の光ビームが、グルーブトラックの中心を走査した場合には、図２（ａ）に示すように、前半ヘッダの信号振幅と後半ヘッダの信号振幅は等しくなる。グルーブトラックの内周側を走査した場合には、図２（ｂ）に示すように、前半ヘッダの信号振幅は小さくなり、後半ヘッダの信号振幅が大きくなる。逆に、グルーブトラックの外周側を走査した場合には、図２（ｃ）に示すように、前半ヘッダの信号振幅は大きくなり、後半ヘッダの信号振幅は小さくなる。即ち、前半ヘッダの再生信号振幅と後半ヘッダの再生信号振幅とを比較することにより、再生光のトラッキングずれ量を検出することが可能となる。この検出結果をフィードバックして、トラックの中心を走査させることができる。なお、ランドトラックを走査している場合には、ランド側へ張り出した部分の信号極性がグルーブトラック走査時と逆になる。さらに、前半ヘッダの再生信号振幅と後半ヘッダの再生信号振幅の大小関係と、トラッキングずれの方向関係も逆になる。
【００３４】
この発明の光ディスクの凹凸境界壁を再生する方法として、トラックに沿って左右の反射光量を別に検出し、左右の反射光量の差分を求める方法もある。この場合には、図１に示すように、内周側の境界壁と外周側の境界壁のどちらにもランドトラック側へ張り出した部分の位置でヘッダデータを記録していると、再生信号の極性が前半と後半のヘッダで逆になる。光ディスク装置の対応としては、再生信号極性の切り換えが必要となる。原盤露光時のビーム強度の強弱の極性を２ビームで逆にすることにより、グルーブトラックの一方の境界側はランド側へ張り出した部分の位置、他方の境界側はグルーブ側へ張り出した部分の位置でヘッダデータが記録される。張り出した部分の位置でヘッダデータを記録する場合には、前半ヘッダに相当する境界壁における凹凸と、この前半ヘッダと対になる後半ヘッダに相当する境界壁における凹凸の比率は、等しくならない。即ち、ヘッダデータを前後で逆に作ってしまうと、再生信号を差で検出する場合の極性は揃っても、再生信号の振幅の比較からトラッキングずれを検出するには、なんらかの補正手段が必要となる。
【００３５】
上記では、ピットポジション記録のケースについて説明したが、凹凸状境界壁の凹部から凸部への変化位置、及び凸部から凹部への変化位置により、ヘッダデータを反映するようにしてもよい。言い換えると、凹凸状境界壁のランド側からグルーブ側への変化点の位置、及びグルーブ側からランド側への変化点の位置により、ヘッダデータを反映するようにしてもよい。これは、ピットで情報を記録する場合のピットエッジ記録に相当する。エッジ記録は、ポジション記録に比べて、一定長当たりの情報量を多くできる点と、信号極性について対称であるため左右の凹凸比率が同等になる点が、利点である。反面、再生ビームのプロファイルとの関係を考慮したエッジ位置形成の正確さが要求される。
【００３６】
なお、以上において、内周側がグルーブトラックで、外周側がランドトラックとなる境界壁に、前半ヘッダを配置し、内周側がランドトラックで、外周側がグルーブトラックとなる境界壁に、後半ヘッダを配置するケースについて説明したが、この発明はこれに限定されるものではない。つまり、内周側がグルーブトラックで、外周側がランドトラックとなる境界壁に、後半ヘッダを配置し、内周側がランドトラックで、外周側がグルーブトラックとなる境界壁に、前半ヘッダを配置するようにしてもよい。
【００３７】
また、ランドトラック側へ張り出した部分の位置によりヘッダデータを反映させるとして説明したが、この発明はこれに限定されるものではない。つまり、グルーブトラック側へ張り出した部分の位置によりヘッダデータを反映させるようにしてもよい。そもそも、ランドトラックとグルーブトラックの関係は、相対的なものであって、ディスク製作工程において逆転もあり得る。従って、上記説明におけるランドとグルーブが逆転しても、本発明は実施可能である。
【００３８】
続いて、図３及び図４を参照して、上記説明したヘッダを有する記録層を複数備えた光ディスクについて説明する。図３に示すように、光ディスク１は、複数の記録層を有する。光ディスク１は、入射光側から見て、手前側に第１記録層２０２を有し、その奥に透明層２０４を有し、さらにその奥に第２記録層２０３を有する。これら第１記録層２０２及び第２記録層２０４は、図１に示すヘッダ構造を有する。記録再生のための光ビーム２０５は、対物レンズ８（図５参照）の位置を上下させることにより、第１及び第２記録層のうちの一方に集光される。
【００３９】
図４（ａ）に示すように、第１記録層２０２に対して光ビームが集光されると、この第１記録層２０２からの反射光には、第２記録層２０３からの反射光が重畳される。また、図４（ｂ）に示すように、第２記録層２０３に対して光ビームが集光されると、この第２記録層２０３からの反射光には、第１記録層２０２からの反射光が重畳されるだけでなく、第１記録層２０２の透過率が影響する。図４（ａ）及び図４（ｂ）から明らかなように、記録再生対象の目的の記録層に対して光ビームが集光されるとき、他の記録層に対して光ビームは集光されず、他の記録層上では光ビームは広がった状態となる。複数の記録層を有する光ディスクでは、記録層の一部に透過率や反射率の異なる領域が存在すると、目的の記録層に対する記録再生の信頼性が損なわれる。透過率や反射率の異なる領域が、局所的に存在する程度であればこのような悪影響はある程度低減される。図１に示すこの発明の光ディスクにおけるヘッダは、次第にトラック方向にずれて配置されている。これに対して、従来の光ディスクでは、トラックの不連続部分が半径方向につながっている。つまり、この発明の光ディスクは、従来の光ディスクに比べて、透過率や反射率の異なる領域が局所的に存在していると言える。従って、この発明の記録層を複数備えた光ディスクによれば、どの記録層に対する記録再生でも信頼性が損なわれる度合いが低減される。
【００４０】
図５は、この発明の一例に係る光ディスク装置の概略構成を示す図である。この光ディスク装置は、上記説明した凹凸状境界壁をヘッダとして持つ光ディスク１に対して目的のデータを記録したり、この光ディスク１に記録されたデータを再生したりする。光ディスク１は、上記説明したように、記録層を複数備えているものでもよい。
【００４１】
図４に示すように、光ディスク装置は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、ヘッダ検知回路１５、フォーカス制御回路１６、トラッキング制御回路１７を備えている。
【００４２】
まず、この光ディスク装置によるデータの記録について説明する。記録データ（データシンボル）は、変調回路２により所定のチャネルビット系列に変調される。記録データに対応したチャネルビット系列は、レーザ制御回路３によりレーザ駆動波形に変換される。レーザ制御回路３は、レーザ４をパルス駆動し、所望のビット系列に対応したデータを光ディスク１上に記録する。レーザ４から放射された記録用の光ビームは、コリメートレンズ５で平行光となり、ＰＢＳ６に入射し、透過する。ＰＢＳ６を透過したビームは４分の１波長板７を透過し、対物レンズ８により光ディスク１の情報記録面に集光される。集光されたビームは、フォーカス制御回路１６によるフォーカス制御及びトラッキング制御回路１７によるトラッキング制御により、記録面上に最良の微小スポットが得られる状態で維持される。光ディスク１が複数の記録層を備えている場合には、フォーカス制御回路１６により目的の記録層に対して光ビームがジャストフォーカスされる。
【００４３】
続いて、この光ディスク装置によるデータの再生について説明する。データ再生指示に基づき、レーザ４は再生用の光ビームを放射する。レーザ４から放射された再生用の光ビームは、コリメートレンズ５で平行光となり、ＰＢＳ６に入射し、透過する。ＰＢＳ６を透過した光ビームは４分の１波長板７を透過し、対物レンズ８により光ディスク１の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、光ディスク１上に照射された再生用の光ビームは、情報記録面内の反射膜あるいは反射性記録膜により反射される。反射光は対物レンズ８を逆方向に透過し、再度平行光となる。反射光は４分の１波長板７を透過し、入射光に対して垂直な偏光を持ち、ＰＢＳ６では反射される。ＰＢＳ６で反射されたビームは集光レンズ９により収束光となり、光検出器１０に入射される。光検出器１０は、例えば、４分割のフォトディテクタから構成されている。光検出器１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００４４】
また、光検出器１０から出力される電気信号の一部に基づき、フォーカスエラー信号生成回路１３によりフォーカスエラー信号が生成される。同様に、光検出器１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００４５】
さらに、光検出器１０から出力される電気信号に基づき、ヘッダ検知回路１５によりヘッダが検知される。つまり、このヘッダ検知回路１５は、ヘッダデータが反映された凹凸状境界壁を検知する。ヘッダ検知回路１５によりヘッダが検知されたタイミングで、復調回路１２から出力される再生データがヘッダデータである。ヘッダデータに基づき、目的の記録フィールドから目的のデータが再生されたり、目的の記録フィールドに対して目的のデータが記録されたりする。また、ヘッダ検知回路１５は、図２で説明したヘッダ検知状態も検知する。つまり、前半ヘッダ部１０３に反映されたヘッダデータの再生信号レベルと、後半ヘッダ部１０４に反映されたヘッダデータの再生信号レベルとを比較して、再生用の光ビームのトラックずれを検知する。トラッキング制御回路１７は、この検知結果に基づき、トラックの中央を走査するように、ビームスポットのトラッキングを制御する。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４７】
【発明の効果】
この発明によれば下記の光ディスク、光ディスク再生装置、光ディスク再生方法、光ディスク記録装置、及び光ディスク記録方法を提供できる。
【００４８】
（１）ヘッダデータ記録位置からトラッキングエラー信号を得ることが可能なように構成されており、且つトラック走査の偏りが検出可能なように構成された光ディスク。
【００４９】
（２）記録再生信頼性の損失を低減することが可能な複数の記録層を有する光ディスク。
【００５０】
（３）ヘッダデータ記録位置からトラッキングエラー信号を得ることが可能なように構成されており、且つトラック走査の偏りが検出可能なように構成された光ディスクから、ヘッダデータを再生する光ディスク再生装置及び光ディスク再生方法。
【００５１】
（４）ヘッダデータ記録位置からトラッキングエラー信号を得ることが可能なように構成されており、且つトラック走査の偏りが検出可能なように構成された光ディスクから、ヘッダデータを再生し、目的位置にデータを記録する光ディスク記録装置及び光ディスク記録方法。
【図面の簡単な説明】
【図１】この発明に係る光ディスクのヘッダ領域の概略を示す図である。
【図２】図１に示す凹凸境界壁に反映されたヘッダデータの再生信号を説明する図である。
【図３】この発明に係る記録層を複数備えた光ディスクの概略を示す図である。
【図４】記録層を複数備えた光ディスクに対して光ビームを照射したときの反射光について説明するための図である。
【図５】この発明の一例に係る光ディスク装置の概略構成を示すブロック図である。
【符号の説明】
１…光ディスク
２…変調回路
３…レーザ制御回路
４…レーザ
５…コリメートレンズ
６…偏光ビームスプリッタ（ＰＢＳ）
７…４分の１波長板
８…対物レンズ
９…集光レンズ
１０…光検出器
１１…信号処理回路
１２…復調回路
１３…フォーカスエラー信号生成回路
１４…トラッキングエラー信号生成回路
１５…ヘッダ検知回路
１６…フォーカス制御回路
１７…トラッキング制御回路
１０１…ヘッダ部
１０２…データ部
１０３…前半ヘッダ部
１０４…後半ヘッダ部
ＬＴ１、ＬＴ２、ＬＴ３…ランドトラック
ＧＴ１、ＧＴ２…グルーブトラック
Ｗ１、Ｗ２、Ｗ３、Ｗ４…凹凸境界壁
【図１】
0003561245.tif 000002
【図２】
0003561245.tif 000003
【図３】
0003561245.tif 000004
【図４】
0003561245.tif 000005
【図５】
0003561245.tif 000006